(57)【要約】【課題】太陽電池パネルの取付姿勢を手動で変化させなくても太陽電池パネルの発電力を確保することができ、しかも、建物の室内を換気することができるようにする。【解決手段】本発明における窓枠装置１０は、建物９０の開口部９４に設置される窓枠１２と、窓枠１２に設けられ、建物９０に対して取付姿勢を変更可能な太陽電池パネル１４と、太陽電池パネル１４への太陽光の入射角度の変化に追従して太陽電池パネル１４の建物９０に対する取付姿勢を変更させる第一アクチュエータ１６、第二アクチュエータ１８、及びＥＣＵ２６と、開口部９４を介して建物９０の室内と室外とを通風可能とするための通風ユニット２０と、を備える。【選択図】図１
2009167723.tif 000002
【特許請求の範囲】
【請求項１】
建物の開口部に設けられ、前記建物に対して取付姿勢を変更可能な太陽電池パネルと、
前記太陽電池パネルへの太陽光の入射角度の変化に追従して前記太陽電池パネルの取付姿勢を変更させる追従手段と、
前記開口部を介して前記建物の室内と室外とを通風可能とするための通風手段と、
を備えたことを特徴とする建物開口部用発電換気装置。
【請求項２】
前記追従手段は、前記太陽電池パネルにて発生した電力を利用して作動されるアクチュエータを有し、前記アクチュエータの作動を伴って前記太陽電池パネルの取付姿勢を変更させる、
ことを特徴とする請求項１に記載の建物開口部用発電換気装置。
【請求項３】
前記追従手段は、太陽光が前記太陽電池パネルに垂直に入射されるように前記太陽電池パネルの取付姿勢を変更させる、
ことを特徴とする請求項１又は請求項２に記載の建物開口部用発電換気装置。
【請求項４】
前記太陽電池パネルは、前記開口部における下側に設けられる、
ことを特徴とする請求項１〜請求項３のいずれか一項に記載の建物開口部用発電換気装置。
【請求項５】
建物の開口部に設置される設置体と、
前記設置体に内蔵された太陽電池パネルと、
少なくとも一端が前記設置体から外部に露出され、太陽光を前記太陽電池パネルに導く導光手段と、
前記開口部を介して前記建物の室内と室外とを通風可能とするための通風手段と、
を備えたことを特徴とする建物開口部用発電換気装置。
【請求項６】
前記太陽電池パネルは、板厚方向に複数積層されている、
ことを特徴とする請求項５に記載の建物開口部用発電換気装置。
【請求項７】
前記導光手段の他端から出射された太陽光を前記太陽電池パネルに向けて反射させるための反射手段を備えた、
ことを特徴とする請求項５又は請求項６に記載の建物開口部用発電換気装置。
【請求項８】
前記導光手段の一端は、前記建物に対して取付姿勢を変更可能とされ、
前記導光手段の一端への太陽光の入射角度の変化に追従して前記導光手段の一端の取付姿勢を変更させる取付姿勢変化手段を備えた、
ことを特徴とする請求項５〜請求項７のいずれか一項に記載の建物開口部用発電換気装置。
【請求項９】
前記通風手段は、前記太陽電池パネルにて発生した電力を利用して作動されるファンモータを有し、前記ファンモータの作動を伴って前記建物の室内と室外とを通風させる、
ことを特徴とする請求項１〜請求項８のいずれか一項に記載の建物開口部用発電換気装置。
【請求項１０】
前記建物の室内の温度を検出する室温検出手段と、
前記室温検出手段の検出結果に基づいて前記建物の室内の温度が予め定められた基準温度以上となったと判断した場合に前記ファンモータを作動させる制御手段と、
を備えたことを特徴とする請求項９に記載の建物開口部用発電換気装置。
【発明の詳細な説明】
【技術分野】
【０００１】
本発明は、建物開口部用発電換気装置に係り、特に、太陽電池パネルを備え、建物の開口部に設置される建物開口部用発電換気装置に関する。
【背景技術】
【０００２】
従来、この種の建物開口部用発電換気装置としては、次のものが知られている（例えば、特許文献１参照）。例えば、特許文献１には、太陽電池兼用ライトシェルフの例が開示されている。この特許文献１に記載の例において、太陽電池パネルは、複数のロッドを有するリンク構造に可動自在に支持されている。
【特許文献１】特開２０００−２１３２５５号公報
【発明の開示】
【発明が解決しようとする課題】
【０００３】
しかしながら、特許文献１に記載の例では、太陽の移動に伴い太陽電池パネルへの太陽光の入射角度が変化した場合でも、太陽電池パネルの発電力を確保するためには、太陽電池パネルへの太陽光の入射角度の変化に追従するように太陽電池パネルの取付角度を手動で変化させる必要がある。
【０００４】
また、特許文献１に記載の例では、太陽電池パネルが庇状に形成されて外部に露出されているため、見栄えが損なわれる虞がある。
【０００５】
また、特許文献１に記載の例では、建物の開口部を介して建物の室内に太陽光が導入されたときに、これに伴って建物の室内の温度が上昇する場合がある。そして、この場合には、建物の室内の換気が必要になることがある。
【０００６】
本発明は、上記事情に鑑みてなされたものであって、その目的は、太陽電池パネルの取付姿勢を手動で変化させなくても太陽電池パネルの発電力を確保することができ、しかも、建物の室内を換気することができる建物開口部用発電換気装置を提供することにある。
【０００７】
また、本発明の他の目的は、見栄えを向上させることができ、しかも、建物の室内を換気することができる建物開口部用発電換気装置を提供することにある。
【課題を解決するための手段】
【０００８】
前記課題を解決するために、請求項１に記載の建物開口部用発電換気装置は、建物の開口部に設けられ、前記建物に対して取付姿勢を変更可能な太陽電池パネルと、前記太陽電池パネルへの太陽光の入射角度の変化に追従して前記太陽電池パネルの取付姿勢を変更させる追従手段と、前記開口部を介して前記建物の室内と室外とを通風可能とするための通風手段と、を備えたことを特徴とする。
【０００９】
請求項１に記載の建物開口部用発電換気装置では、建物の開口部に太陽電池パネルが取付姿勢を変更可能に設けられ、太陽の移動に伴い太陽電池パネルへの太陽光の入射角度が変化した場合には、これに追従して太陽電池パネルの取付姿勢が追従手段によって自動的に変更される。従って、太陽電池パネルの取付姿勢を手動で変化させなくても太陽電池パネルの発電力を確保することができる。
【００１０】
しかも、請求項１に記載の建物開口部用発電換気装置では、例えば、太陽光が建物の開口部を介して室内に導入され、これに伴って室内の温度が上昇して建物の室内の換気が必要になった場合には、通風手段によって建物の開口部を介して室内と室外とを通風させることで、建物の室内を換気することができる。
【００１１】
このように、請求項１に記載の建物開口部用発電換気装置によれば、太陽電池パネルの取付姿勢を手動で変化させなくても太陽電池パネルの発電力を確保することができ、しかも、建物の室内を換気することができる。
【００１２】
請求項２に記載の建物開口部用発電換気装置は、請求項１に記載の建物開口部用発電換気装置において、前記追従手段は、前記太陽電池パネルにて発生した電力を利用して作動されるアクチュエータを有し、前記アクチュエータの作動を伴って前記太陽電池パネルの取付姿勢を変更させる、ことを特徴とする。
【００１３】
請求項２に記載の建物開口部用発電換気装置によれば、アクチュエータは、太陽電池パネルにて発生した電力を利用して作動されるので、太陽電池パネルにて発生した電力をアクチュエータの作動のために有効に活用することができる。
【００１４】
請求項３に記載の建物開口部用発電換気装置は、請求項１又は請求項２に記載の建物開口部用発電換気装置において、前記追従手段は、太陽光が前記太陽電池パネルに垂直に入射されるように前記太陽電池パネルの取付姿勢を変更させる、ことを特徴とする。
【００１５】
請求項３に記載の建物開口部用発電換気装置によれば、追従手段によって太陽電池パネルの取付姿勢を変更させることで、太陽光を太陽電池パネルに垂直に入射させることができるので、太陽電池パネルの発電力をより一層確保することができる。
【００１６】
請求項４に記載の建物開口部用発電換気装置は、請求項１〜請求項３のいずれか一項に記載の建物開口部用発電換気装置において、前記太陽電池パネルは、前記開口部における下側に設けられる、ことを特徴とする。
【００１７】
請求項４に記載の建物開口部用発電換気装置によれば、太陽電池パネルが建物の開口部における下側に設けられるので、建物の開口部における上側に例えば庇等が設けられた場合でも、太陽電池パネルへの太陽光の入射に対する庇等の影響を少なくすることができる。
【００１８】
また、前記課題を解決するために、請求項５に記載の建物開口部用発電換気装置は、建物の開口部に設置される設置体と、前記設置体に内蔵された太陽電池パネルと、少なくとも一端が前記設置体から外部に露出され、太陽光を前記太陽電池パネルに導く導光手段と、前記開口部を介して前記建物の室内と室外とを通風可能とするための通風手段と、を備えたことを特徴とする。
【００１９】
請求項５に記載の建物開口部用発電換気装置では、建物の開口部に設置される設置体に太陽電池パネルが内蔵されており、太陽光が導光手段によって太陽電池パネルに導かれると、太陽電池パネルにて電力が発生される。
【００２０】
ここで、太陽電池パネルは、上述のように、建物の開口部に設置される設置体に内蔵されている。従って、太陽電池パネルが庇状に形成されて外部に露出されている構成に比して、見栄えを向上させることができる。
【００２１】
しかも、請求項５に記載の建物開口部用発電換気装置では、例えば、太陽光が建物の開口部を介して室内に導入され、これに伴って建物の室内の温度が上昇して建物の室内の換気が必要になった場合には、通風手段によって建物の開口部を介して室内と室外とを通風させることで、建物の室内を換気することができる。
【００２２】
このように、請求項５に記載の建物開口部用発電換気装置によれば、見栄えを向上させることができ、しかも、建物の室内を換気することができる。
【００２３】
請求項６に記載の建物開口部用発電換気装置は、請求項５に記載の建物開口部用発電換気装置において、前記太陽電池パネルは、板厚方向に複数積層されている、ことを特徴とする。
【００２４】
請求項６に記載の建物開口部用発電換気装置によれば、太陽電池パネルは、板厚方向に複数積層されているので、太陽電池パネルのための配置スペースの小型化を図りつつ発電効率を向上させることができる。
【００２５】
請求項７に記載の建物開口部用発電換気装置は、請求項５又は請求項６に記載の建物開口部用発電換気装置において、前記導光手段の他端から出射された太陽光を前記太陽電池パネルに向けて反射させるための反射手段を備えた、ことを特徴とする。
【００２６】
請求項７に記載の建物開口部用発電換気装置によれば、導光手段の他端から出射された太陽光を反射手段によって太陽電池パネルに向けて反射させることができる。従って、導光手段の他端を太陽電池パネルに直接向ける必要が無いので、導光手段の配置の自由度を向上させることができる。
【００２７】
請求項８に記載の建物開口部用発電換気装置は、請求項５〜請求項７のいずれか一項に記載の建物開口部用発電換気装置において、前記導光手段の一端は、前記建物に対して取付姿勢を変更可能とされ、前記導光手段の一端への太陽光の入射角度の変化に追従して前記導光手段の一端の取付姿勢を変更させる取付姿勢変化手段を備えた、ことを特徴とする。
【００２８】
請求項８に記載の建物開口部用発電換気装置によれば、太陽の移動に伴い導光手段の一端への太陽光の入射角度が変化した場合には、これに追従して導光手段の一端の取付姿勢が取付姿勢変化手段によって自動的に変更される。従って、導光手段の一端の取付姿勢を手動で変化させなくても太陽電池パネルの発電力を確保することができる。
【００２９】
請求項９に記載の建物開口部用発電換気装置は、請求項１〜請求項８のいずれか一項に記載の建物開口部用発電換気装置において、前記通風手段は、前記太陽電池パネルにて発生した電力を利用して作動されるファンモータを有し、前記ファンモータの作動を伴って前記建物の室内と室外とを通風させる、ことを特徴とする。
【００３０】
請求項９に記載の建物開口部用発電換気装置によれば、ファンモータは、太陽電池パネルにて発生した電力を利用して作動されるので、太陽電池パネルにて発生した電力をファンモータの作動のために有効に活用することができる。
【００３１】
請求項１０に記載の建物開口部用発電換気装置は、請求項９に記載の建物開口部用発電換気装置において、前記建物の室内の温度を検出する室温検出手段と、前記室温検出手段の検出結果に基づいて前記建物の室内の温度が予め定められた基準温度以上となったと判断した場合に前記ファンモータを作動させる制御手段と、を備えたことを特徴とする。
【００３２】
請求項１０に記載の建物開口部用発電換気装置では、建物の室内の温度が室温検出手段によって検出される。そして、この室温検出手段の検出結果に基づいて制御手段において建物の室内の温度が予め定められた基準温度以上となったと判断された場合には、ファンモータが作動され、これにより、建物の室内が換気される。
【００３３】
このように、請求項１０に記載の建物開口部用発電換気装置によれば、建物の室内の換気を、建物の室内の温度が予め定められた基準温度以上となった場合に自動的に行うことができる。
【発明の効果】
【００３４】
以上詳述したように、本発明によれば、太陽電池パネルの取付姿勢を手動で変化させなくても太陽電池パネルの発電力を確保することができ、しかも、建物の室内を換気することができる。
【００３５】
また、本発明によれば、見栄えを向上させることができ、しかも、建物の室内を換気することができる。
【発明を実施するための最良の形態】
【００３６】
［第一実施形態］
はじめに、本発明の第一実施形態について説明する。
【００３７】
図１には、本発明の第一実施形態に係る窓枠装置１０が建物９０の壁部９２に設置された状態で示されており、図２及び図３には、この窓枠装置１０の全体構成が斜視図及び側面図にてそれぞれ示されている。なお、これらの図において示される矢印ＵＰ、矢印ＩＮ、矢印ＯＵＴは、建物９０における高さ方向上側、室内側、室外側をそれぞれ示している。
【００３８】
これらの図に示されるように、本発明の第一実施形態に係る窓枠装置１０は、例えば、ユニット住宅や、スチールハウスや、組立式のガレージ等の建物９０に好適に設置されるものであり、窓枠１２と、太陽電池パネル１４と、第一アクチュエータ１６と、第二アクチュエータ１８と、通風ユニット２０と、バッテリ２２と、室温検出センサ２４と、ＥＣＵ２６とを主要な構成として備えている。
【００３９】
窓枠１２は、窓ガラス２８を支持しており、図１に示されるように、建物９０の壁部９２に形成された開口部９４に支持枠９６を介して設置されている。この窓枠１２を構成する上枠部１２Ａ及び下枠部１２Ｂには、支持枠９６に設けられて窓枠１２の高さ方向に延びる回動軸３０がそれぞれ回動自在に固定されており、これにより、窓枠１２は、支持枠９６に対して回動可能とされている。
【００４０】
なお、窓枠１２と支持枠９６との間には、図示しない伸縮性を有する布状体や蛇腹状のカバーが設けられており、これらによって窓枠１２と支持枠９６との間のシール性が確保されている。
【００４１】
また、図２に示されるように、窓枠１２を構成する一方の縦枠部１２Ｃには、建物９０の室外側に第一通風口３２が設けられており、建物９０の室内側に第二通風口３４及び第三通風口３６が設けられている。この第一通風口３２、第二通風口３４及び第三通風口３６は、縦枠部１２Ｃの内部空間を介して互いに連通されている。
【００４２】
また、この第一通風口３２、第二通風口３４及び第三通風口３６には、これらをそれぞれ開閉するための第一ルーバ４２、第二ルーバ４４及び第三ルーバ４６がそれぞれ設けられている。
【００４３】
太陽電池パネル１４は、窓枠１２の幅方向に延在する短冊状に形成されており、窓枠１２の高さ方向に複数配列されている。この太陽電池パネル１４は、窓枠１２の開口４８を介して建物９０の室外を臨むように窓枠１２の縦枠部１２Ｃ，１２Ｄ間に配置され、且つ、窓枠１２の開口４８における下側に位置されている。
【００４４】
また、この太陽電池パネル１４は、図２に示されるように、窓枠１２の幅方向に延在する回動軸５０を有して構成されており、この回動軸５０が縦枠部１２Ｃ，１２Ｄに回動自在に支持されることで窓枠１２に対して上下に取付角度を変更可能とされている。
【００４５】
第一アクチュエータ１６は、図２に示されるように、上枠部１２Ａに内蔵されており、後述するＥＣＵ２６から出力された制御信号に応じて回動軸３０を相対回転させることで、窓枠１２を図１に示される支持枠９６に対して回動させる構成とされている。
【００４６】
第二アクチュエータ１８は、縦枠部１２Ｃに内蔵されており、後述するＥＣＵ２６から出力された制御信号に応じて回動軸５０を回転させることで、太陽電池パネル１４を窓枠１２に対して回動させる構成とされている。
【００４７】
なお、この窓枠装置１０では、第一アクチュエータ１６によって窓枠１２が支持枠９６に対して回動されることで、太陽電池パネル１４の方位が変更され、第二アクチュエータ１８によって太陽電池パネル１４が窓枠１２に対して回動されることで、太陽電池パネル１４の上下の取付角度が変更されるようになっている。
【００４８】
通風ユニット２０は、ファンモータ５２と、シロッコファン５４とを有して構成されており、縦枠部１２Ｃに内蔵されている。ファンモータ５２は、後述するＥＣＵ２６から出力された制御信号に応じてシロッコファン５４を回転させる構成とされている。
【００４９】
シロッコファン５４は、第二ルーバ４４が閉止され、第一ルーバ４２及び第三ルーバ４６が開放されている場合（外気導入モード）には、回転に伴い第一通風口３２から第三通風口３６へ通風させ、第一ルーバ４２が閉止され、第二ルーバ４４及び第三ルーバ４６が開放されている場合（内気循環モード）には、回転に伴い第二通風口３４から第三通風口３６へ通風させる構成とされている。
【００５０】
バッテリ２２は、縦枠部１２Ｃに内蔵されており、太陽電池パネル１４にて発生した電力により充電され、第一アクチュエータ１６、第二アクチュエータ１８、ファンモータ５２、室温検出センサ２４、及び、ＥＣＵ２６等に電力を供給する構成とされている。
【００５１】
室温検出センサ２４は、縦枠部１２Ｃにおける室内側に設けられており、建物９０の室内の温度に応じた信号を後述するＥＣＵ２６に出力する構成とされている。
【００５２】
ＥＣＵ２６は、縦枠部１２Ｃに内蔵されており、上述の室温検出センサ２４から出力された信号や、太陽電池パネル１４の出力電圧や、バッテリ２２の充電電圧等を検出して、上述の第一アクチュエータ１６、第二アクチュエータ１８、ファンモータ５２に制御信号を出力したり、バッテリ２２の充電状態と放電状態との切替を制御したりする構成とされている。
【００５３】
また、ＥＣＵ２６は、時計機能及び情報記憶部を有して構成されており、情報記憶部には、各地における年月日及び時刻と太陽の高度及び方位との関係が予め記憶されている。また、この情報記憶部には、窓枠装置１０の設置場所の緯度及び経度、窓枠装置１０の建物９０への設置状態での太陽電池パネル１４の角度及び方位等に関するデータが使用前に予め記憶される。
【００５４】
なお、本発明の第一実施形態において、窓枠装置１０が本発明のおける建物開口部用発電換気装置に相当し、第一アクチュエータ１６、第二アクチュエータ１８、及びＥＣＵ２６が本発明における追従手段に相当し、通風ユニット２０が本発明における通風手段に相当し、室温検出センサ２４が本発明における室温検出手段に相当する。
【００５５】
そして、上記構成からなる窓枠装置１０は、例えば、次のように作動される。
【００５６】
図４には、ＥＣＵ２６の動作の流れが示されている。ＥＣＵ２６は、例えば図示しない電源スイッチがスイッチオンとされると、図４のフローチャートで示されるプログラム処理を開始する。ＥＣＵ２６は、このプログラム処理を開始すると、先ず、時計機能を用いて現在の年月日及び時刻を検出する（ステップＳ１）。
【００５７】
続いて、ＥＣＵ２６は、情報記憶部に事前に記憶された窓枠装置１０の設置場所の緯度及び経度に関するデータと、ステップＳ１にて検出した現在の年月日及び時刻とに基づいて、情報記憶部に記憶された各地における年月日及び時刻と太陽の高度及び方位との関係から、現在の太陽の高度及び方位を算出する（ステップＳ２）。
【００５８】
そして、ＥＣＵ２６は、上述のステップＳ２の算出結果に基づいて太陽が地平線よりも上方に位置しているか否かを判断する（ステップＳ３）。
【００５９】
ここで、ＥＣＵ２６は、太陽が地平線よりも上方に位置していると判断した場合（ステップＳ３：ＹＥＳ）には、続いて、上述のステップＳ２の算出結果（現在の太陽の高度及び方位）及び、情報記憶部に記憶された窓枠装置１０の建物９０への設置状態での太陽電池パネル１４の角度及び方位に関するデータに基づいて、太陽電池パネル１４の最適な方位及び上下の取付角度を算出する（ステップＳ４）。
【００６０】
すなわち、ＥＣＵ２６は、太陽電池パネル１４の正面視（図１における矢印Ａ方向視）及び側面視（図１における矢印Ｂ方向視）の両方において、太陽光が太陽電池パネル１４に垂直に入射されるようにするための太陽電池パネル１４の方位及び上下の取付角度を算出する。
【００６１】
そして、ＥＣＵ２６は、上述のステップＳ４の算出結果に基づいて第一アクチュエータ１６及び第二アクチュエータ１８に制御信号を出力してこれらを作動させる（ステップＳ５）。
【００６２】
これにより、窓枠１２が支持枠９６に対して回動されると共に、太陽電池パネル１４が窓枠１２に対して回動されて、太陽電池パネル１４の正面視及び側面視の両方において、太陽光が太陽電池パネル１４に垂直に入射されるように、太陽電池パネル１４の方位及び上下の取付角度が自動的に変更される。
【００６３】
続いて、ＥＣＵ２６は、ファンモータ５２を作動させるか否かを判断するために、太陽電池パネル１４の出力電圧及びバッテリ２２の充電電圧を検出して、太陽電池パネル１４の出力電圧及びバッテリ２２の充電電圧がそれぞれ予め定められた基準電圧以上であるか否かを判断する（ステップＳ６）。
【００６４】
ここで、ＥＣＵ２６は、太陽電池パネル１４の出力電圧及びバッテリ２２の充電電圧がそれぞれ予め定められた基準電圧以上であると判断した場合（ステップＳ６：ＹＥＳ）には、続いて、室温検出センサ２４からの出力信号に基づいて建物９０の室内の温度が予め定められた基準温度以上であるか否かを判断する（ステップＳ７）
【００６５】
そして、ＥＣＵ２６は、建物９０の室内の温度が予め定められた基準温度以上であると判断した場合（ステップＳ７：ＹＥＳ）には、ファンモータ５２に制御信号を出力してファンモータ５２を作動させる（ステップＳ８）。
【００６６】
これにより、ファンモータ５２の作動に伴ってシロッコファン５４が回転される。このとき、第二ルーバ４４が閉止され、第一ルーバ４２及び第三ルーバ４６が開放されている場合には、シロッコファン５４の回転に伴い第一ルーバ４２から第三ルーバ４６へ通風され、室外の空気が室内に導入される。また、第一ルーバ４２が閉止され、第二ルーバ４４及び第三ルーバ４６が開放されている場合には、シロッコファン５４の回転に伴い第二通風口３４から第三通風口３６へ通風され、室内の空気が循環される。
【００６７】
なお、ＥＣＵ２６は、上述のステップＳ３の処理において、太陽が地平線よりも上方に位置しないと判断した場合（ステップＳ３：ＮＯ）には、バッテリ２２の充電電圧を検出して、バッテリ２２の充電電圧が予め定められた基準電圧以上であるか否かを判断する（ステップＳ９）。そして、ＥＣＵ２６は、バッテリ２２の充電電圧が予め定められた基準電圧以上であると判断した場合（ステップＳ９：ＹＥＳ）には、上述のステップＳ７の処理に移行する。
【００６８】
従って、例えば夜間等で太陽が地平線よりも上方に位置しない場合でも、バッテリ２２が十分に充電されており、且つ、室内の温度が高い場合には、ファンモータ５２が作動され、室外の空気が室内に導入されるか、又は、室内の空気が循環される。
【００６９】
一方、ＥＣＵ２６は、太陽が地平線よりも上方に位置しないと判断した場合（ステップＳ３：ＮＯ）で、且つ、バッテリ２２の充電電圧が予め定められた基準電圧を下回っていると判断した場合（ステップＳ９：ＮＯ）には、一時時間、スリープモード（又は電源オフ）となり（ステップＳ１０）、その後、上述のステップＳ２の処理に戻る。
【００７０】
従って、この場合、太陽が地平線よりも上方に位置していないことにより太陽電池パネル１４にて発電されないにもかかわらず、ＥＣＵ２６からファンモータ５２に制御信号が出力されることが抑制される。
【００７１】
また、ＥＣＵ２６は、上述のステップＳ６の処理において、太陽電池パネル１４の出力電圧及びバッテリ２２の充電電圧がいずれも予め定められた基準電圧を下回っていると判断した場合（ステップＳ６：ＮＯ）には、太陽電池パネル１４にて発生した電力によりバッテリ２２を充電させ（ステップＳ１１）、その後、上述のステップＳ７の処理に戻る。
【００７２】
従って、この場合、バッテリ２２が十分に充電されてから、ファンモータ５２が作動される。
【００７３】
また、ＥＣＵ２６は、上述のステップＳ７の処理において、建物９０の室内の温度が予め定められた基準温度を下回っていると判断した場合（ステップＳ７：ＮＯ）には、ファンモータ５２を作動させずに、太陽電池パネル１４にて発生した電力によりバッテリ２２を充電させ（ステップＳ１２）、その後、上述のステップＳ２の処理に戻る。
【００７４】
なお、ＥＣＵ２６は、上述のステップＳ１〜ステップＳ１２の処理を繰り返し行い、例えば図示しない電源スイッチがスイッチオフとされたときには、この一連の処理を終了する。
【００７５】
そして、上述の本発明の第一実施形態に係る窓枠装置１０によれば、以下の特有な効果を奏する。
【００７６】
すなわち、本発明の第一実施形態に係る窓枠装置１０では、建物９０の開口部９４に太陽電池パネル１４が取付姿勢を変更可能に設けられ、太陽の移動に伴い太陽電池パネル１４への太陽光の入射角度が変化した場合には、これに追従して太陽電池パネル１４の方位及び上下の取付角度（すなわち取付姿勢）が第一アクチュエータ１６及び第二アクチュエータ１８の作動を伴って自動的に変更される。従って、太陽電池パネル１４の方位及び上下の取付角度を手動で変化させなくても太陽電池パネル１４の発電力を確保することができる。
【００７７】
しかも、本発明の第一実施形態に係る窓枠装置１０では、例えば、太陽光が窓枠１２の開口４８及び建物９０の開口部９４を介して室内に導入され、これに伴って室内の温度が上昇して建物９０の室内の換気が必要になった場合には、通風ユニット２０によって室外の空気を建物９０の開口部９４を介して室内に導入させることで、建物９０の室内を換気することができる。
【００７８】
このように、本発明の第一実施形態に係る窓枠装置１０によれば、太陽電池パネル１４の方位及び上下の取付角度を手動で変化させなくても太陽電池パネル１４の発電力を確保することができ、しかも、建物９０の室内を換気することができる。
【００７９】
さらに、本発明の第一実施形態に係る窓枠装置１０によれば、第一アクチュエータ１６及び第二アクチュエータ１８の作動に伴って太陽電池パネル１４の方位及び上下の取付角度を変化させることで、太陽光を太陽電池パネル１４に垂直に入射させることができるので、太陽電池パネル１４の発電力をより一層確保することができる。
【００８０】
また、本発明の第一実施形態に係る窓枠装置１０によれば、建物９０の室内の換気を、建物９０の室内の温度が予め定められた基準温度以上となった場合に自動的に行うことができる。
【００８１】
また、本発明の第一実施形態に係る窓枠装置１０によれば、窓枠１２に通風ユニット２０が一体に設けられているので、窓枠１２の近くでくつろぐ人に送風でき、この人に対して安らぎのある快適な室内空間を提供することができる。
【００８２】
また、本発明の第一実施形態に係る窓枠装置１０によれば、第一アクチュエータ１６、第二アクチュエータ１８、ファンモータ５２は、太陽電池パネル１４にて発生した電力を利用して作動されるので、太陽電池パネル１４にて発生した電力を第一アクチュエータ１６、第二アクチュエータ１８、ファンモータ５２の作動のために有効に活用することができる。
【００８３】
また、本発明の第一実施形態に係る窓枠装置１０によれば、第一アクチュエータ１６、第二アクチュエータ１８、ファンモータ５２、バッテリ２２が窓枠１２に内蔵されているので、第一アクチュエータ１６、第二アクチュエータ１８及びファンモータ５２とバッテリ２２との接続や、バッテリ２２と太陽電池パネル１４との接続を窓枠１２の内部で行うことができ、これらの接続を窓枠１２の外部で行う構成（すなわち、第一アクチュエータ１６、第二アクチュエータ１８、ファンモータ５２、バッテリ２２等が窓枠１２の外部に配置される構成）に比して、配線構造が複雑となることを抑制することができる。
【００８４】
また、本発明の第一実施形態に係る窓枠装置１０によれば、太陽電池パネル１４が窓枠１２の開口４８における下側（すなわち、建物９０の開口部９４における下側）に設けられているので、建物９０の開口部９４における上側に例えば庇等が設けられた場合でも、太陽電池パネル１４への太陽光の入射に対する庇等の影響を少なくすることができる。
【００８５】
以上、本発明の第一実施形態について説明したが、本発明は、上記に限定されるものでなく、その主旨を逸脱しない範囲内において種々変形して実施することが可能であることは勿論である。
【００８６】
例えば、上記実施形態において、通風ユニット２０は、第二ルーバ４４が閉止され、第一ルーバ４２及び第三ルーバ４６が開放されている場合（外気導入モード）には、シロッコファン５４の回転に伴い第一通風口３２から第三通風口３６へ通風させる構成とされていたが、第三ルーバ４６から第一ルーバ４２へ通風させる構成とされていても良い。
【００８７】
また、上記実施形態において、太陽電池パネル１４は、窓枠１２の幅方向に延在され、且つ、窓枠１２の幅方向に延びる回動軸５０により窓枠１２の縦枠部１２Ｃ，１２Ｄに回動自在に支持されていたが、次のようにされていても良い。
【００８８】
図５，図６には、本発明の第一実施形態に係る窓枠装置１０の変形例が示されている。この窓枠装置１０の変形例は、例えば、太陽が低い高度を保つような高緯度地域等において好適に使用されるものである。この変形例において、太陽電池パネル１４は、窓枠１２の高さ方向に延在されており、窓枠１２の高さ方向に延びる回動軸６０により窓枠１２の上枠部１２Ａ及び下枠部１２Ｂにそれぞれ回動自在に支持されている。
【００８９】
また、太陽電池パネル１４は、図６に示されるように、窓枠１２の高さ方向に沿って延びる軸線Ｌに対し上端側が室内側に位置されるように傾斜されている。この太陽電池パネル１４の傾斜角は、低い位置から出射された太陽光が太陽電池パネル１４に垂直に入射されるように設定される。
【００９０】
この変形例によれば、第一アクチュエータ１６によって太陽電池パネル１４の方位を変化させるだけで、長時間、低い位置から出射された太陽光を太陽電池パネル１４に垂直に入射させることができる。
【００９１】
また、第一アクチュエータ１６を不要にできるので、窓枠装置１０の構造を簡素化することができると共にコストダウンすることができる。
【００９２】
また、上記実施形態において、太陽電池パネル１４は、窓枠１２の開口４８における下側に設けられていたが、例えば庇等が無い場合には窓枠１２の開口４８における上側に設けられていても良い。また、太陽電池パネル１４は、建物９０の室内への採光を優先するために、窓枠１２の幅方向における片側半分を占めるように設けられていても良い。
【００９３】
また、上記実施形態において、ＥＣＵ２６は、ファンモータ５２を作動させるか否かを決定するために、ステップＳ６の処理において、太陽電池パネル１４の出力電圧を検出し、この検出電圧が予め定められた基準電圧以上であるか否かを判断していたが、例えば、日射センサ等の出力電圧を検出し、この検出電圧が予め定められた基準電圧以上であるか否かを判断しても良い。
【００９４】
また、上記実施形態において、ＥＣＵ２６は、ステップＳ７の処理において、建物９０の室内の温度が予め定められた基準温度以上であるか否かを判断することによってファンモータ５２を作動させるか否かを判断していたが、図示しないスイッチが操作されたか否かを判断することによってファンモータ５２を作動させるか否かを判断しても良い。
【００９５】
また、上記実施形態において、ＥＣＵ２６は、情報記憶部に事前に記憶された窓枠装置１０の設置場所の緯度及び経度に関するデータと、ステップＳ１にて検出した現在の年月日及び時刻とに基づいて、情報記憶部に記憶された各地における年月日及び時刻と太陽の高度及び方位との関係から、現在の太陽の高度及び方位を算出する構成とされていたが、例えば、太陽の入射角度を検出する入射角度検出センサを設け、この入射角度検出センサの出力信号に基づいて現在の太陽の高度及び方位を算出するように構成されていても良い。
【００９６】
また、上記実施形態において、ＥＣＵ２６は、ステップＳ１〜ステップＳ５の処理、すなわち、現在の太陽の高度及び方位を算出し、これに合わせて太陽電池パネル１４の方位及び上下の取付角度を変更させる処理を繰り返して行うように構成されていたが、この処理を所定時間毎（例えば、１０分毎）に行うようにしても良い。
【００９７】
［第二実施形態］
次に、本発明の第二実施形態について説明する。
【００９８】
図７には、本発明の第二実施形態に係る窓枠装置７０の全体構成が斜視図にて示されており、図８には、この窓枠装置７０に備えられた太陽電池パネル１４及び光ファイバアレイ７６の配置構成が示されている。なお、これらの図において示される矢印ＵＰ、矢印ＩＮ、矢印ＯＵＴは、建物９０における高さ方向上側、室内側、室外側をそれぞれ示している。
【００９９】
これらの図に示される本発明の第二実施形態に係る窓枠装置７０は、上述の本発明の第一実施形態に係る窓枠装置１０に対し、以下の如く構成が変更されている。
【０１００】
すなわち、本発明の第二実施形態に係る窓枠装置７０において、窓枠１２は、開口４８に対する下側にケース部７２を有して構成されており、このケース部７２には、複数の窓部７４が幅方向に並んで開口部されている。そして、このケース部７２には、複数の太陽電池パネル１４及び複数の光ファイバアレイ７６が内蔵されている。
【０１０１】
太陽電池パネル１４は、窓枠１２の幅方向且つ高さ方向に延在されるようにして配置されており、且つ、板厚方向に複数積層されている。また、板厚方向に隣り合う一対の太陽電池パネル１４は、図８に示されるように、互いに背中合わせで接合されている。本実施形態では、この一対の太陽電池パネル１４の組み合わせが、図７に示されるように、三組備えられている。
【０１０２】
光ファイバアレイ７６は、上述の各太陽電池パネル１４に対して一つずつ設けられている。光ファイバアレイ７６の一端７６Ａは、上述の窓部７４から外部に露出されており、光ファイバアレイ７６の他端７６Ｂは、図８に示されるように、太陽電池パネル１４に向けて垂直に配置されている。
【０１０３】
また、光ファイバアレイ７６の一端７６Ａには、支持部材７８が一体に設けられており、この支持部材７８は、回動軸８０によってケース部７２に対して上下に取付角度を変更可能とされている。そして、この窓枠装置１０では、ケース部７２の適宜箇所に内蔵された第二アクチュエータ１８によって支持部材７８と共に光ファイバアレイ７６の一端７６Ａの取付角度がケース部７２に対して上下に変更されるようになっている。
【０１０４】
なお、本発明の第二実施形態において、ＥＣＵ２６は、上述の本発明の第一実施形態において第二アクチュエータ１８を作動させて太陽電池パネル１４の取付角度を上下に変化させた場合と同様に、第二アクチュエータ１８を作動させて光ファイバアレイ７６の一端７６Ａの取付角度を上下に変化させるように動作する構成とされており、その動作の説明は上述の本発明の第一実施形態を参照することとする。
【０１０５】
また、本発明の第二実施形態において、上記以外の構成については、上述の本発明の第一実施形態と同一であり、その説明は上述の第一実施形態を参照することとする。
【０１０６】
また、本発明の第二実施形態において、窓枠装置７０が本発明のおける建物開口部用発電換気装置に相当し、窓枠１２が本発明における設置体に相当し、光ファイバアレイ７６が本発明における導光手段に相当し、第一アクチュエータ１６、第二アクチュエータ１８、及びＥＣＵ２６が本発明における取付姿勢変化手段に相当する。
【０１０７】
そして、上述の本発明の第二実施形態に係る窓枠装置７０によれば、以下の特有な効果を奏する。
【０１０８】
すなわち、本発明の第二実施形態に係る窓枠装置７０では、建物９０の開口部９４（図１参照）に設置される窓枠１２に太陽電池パネル１４が内蔵されており、太陽光が光ファイバアレイ７６によって太陽電池パネル１４に導かれると、太陽電池パネル１４にて電力が発生される。
【０１０９】
ここで、太陽電池パネル１４は、上述のように、窓枠１２に内蔵されている。従って、太陽電池パネル１４が庇状に形成されて外部に露出されている構成に比して、見栄えを向上させることができる。
【０１１０】
しかも、本発明の第二実施形態に係る窓枠装置７０では、例えば、太陽光が窓枠１２の開口４８及び建物９０の開口部９４を介して室内に導入され、これに伴って室内の温度が上昇して建物９０の室内の換気が必要になった場合には、通風ユニット２０によって室外の空気を建物９０の開口部９４を介して室内に導入させることで、建物９０の室内を換気することができる。
【０１１１】
このように、本発明の第二実施形態に係る窓枠装置７０によれば、見栄えを向上させることができ、しかも、建物９０の室内を換気することができる。
【０１１２】
また、本発明の第二実施形態に係る窓枠装置７０によれば、太陽の移動に伴い光ファイバアレイ７６の一端７６Ａへの太陽光の入射角度が変化した場合には、これに追従して光ファイバアレイ７６の一端７６Ａの方位及び上下の取付角度が第一アクチュエータ１６及び第二アクチュエータ１８の作動を伴って自動的に変更される。従って、光ファイバアレイ７６の一端７６Ａの方位及び上下の取付角度を手動で変化させなくても太陽電池パネル１４の発電力を確保することができる。
【０１１３】
また、本発明の第二実施形態に係る窓枠装置７０によれば、太陽電池パネル１４が窓枠１２の内部に内蔵されており、太陽電池パネル１４を回動させる必要が無いので、構造の簡素化、剛性の向上を図ることができる。
【０１１４】
また、本発明の第二実施形態に係る窓枠装置７０によれば、太陽電池パネル１４は、板厚方向に複数積層されているので、太陽電池パネル１４のための配置スペースの小型化を図りつつ発電効率を向上させることができる。
【０１１５】
また、本発明の第二実施形態に係る窓枠装置７０によれば、一対の太陽電池パネル１４を互いに背中合わせで接合することにより、太陽電池パネル１４のための配置スペースをより一層小型化することができる。
【０１１６】
以上、本発明の第二実施形態について説明したが、本発明は、上記に限定されるものでなく、その主旨を逸脱しない範囲内において種々変形して実施することが可能であることは勿論である。
【０１１７】
例えば、上記実施形態において、太陽電池パネル１４は、窓枠１２の幅方向且つ高さ方向に延在されるようにして配置されていたが、次のように配置されても良い。
【０１１８】
図９には、本発明の第二実施形態に係る窓枠装置７０の変形例が示されている。この変形例において、太陽電池パネル１４は、窓枠１２の高さ方向に沿って延びる軸線Ｌに対し上端側が室内側に位置されるように傾斜されている。
【０１１９】
また、太陽電池パネル１４の近傍には、複数の反射部８２を有する反射手段としての反射体８４が配置されており、この変形例では、光ファイバアレイ７６の他端７６Ｂから出射された太陽光が反射体８４によって太陽電池パネル１４に向けて反射されるようになっている。なお、反射体８４としては、例えば集積プリズム体や複合ミラー体等が用いられる。
【０１２０】
この変形例によれば、光ファイバアレイ７６の他端７６Ｂから出射された太陽光を反射体８４によって太陽電池パネル１４に向けて反射させることができる。従って、光ファイバアレイ７６の他端７６Ｂを太陽電池パネル１４に直接向ける必要が無いので、光ファイバアレイ７６の配置の自由度を向上させることができる。
【０１２１】
また、反射体８４に複数の反射部８２を設けることにより、太陽電池パネル１４の広い範囲に太陽光を照射させることができるので、発電効率をより一層向上させることができる。
【０１２２】
なお、以下に、本発明の参考例について説明する。
【０１２３】
［第一参考例］
図１０には、本発明の第一参考例に係るガレージ１１０が示されている。この図に示されるガレージ１１０は、例えば、箱型に構成されており、天井部１１２に複数の採光部１１４を有している。各採光部１１４は、窓部１１６とフィルタ１１８とを有して構成されている。
【０１２４】
窓部１１６は、水平線よりも上方に位置されたときの太陽を向くように水平方向に対して傾斜されており、且つ、ガレージ１１０内に駐車された車両１７０の天井部に備えられた太陽電池パネル１７２に太陽光Ｓｒを照射できる位置に配置されている。
【０１２５】
なお、車両１７０は、例えば、内燃機関と駆動モータを動力源とするハイブリッド自動車や、駆動モータのみを動力源とする電気自動車等とされている。また、太陽電池パネル１７２は、太陽光Ｓｒが照射された場合に電力を発生して車両１７０に備えられたバッテリを充電させる構成とされており、且つ、車両１７０の天井部に沿って湾曲されている。
【０１２６】
フィルタ１１８は、例えば、光干渉式フィルタや色ガラス等により構成されており、特定の周波数域の光を透過させ、それ以外の周波数の光を遮断する特性を有している。このフィルタ１１８は、窓部１１６よりもガレージ１１０の内側に配置されている。
【０１２７】
ここで、図１１には、このフィルタ１１８の特性が示されている。この図に示されるように、このフィルタ１１８は、太陽光のうち第一の周波数域Ａ１の光を透過させ、第二、第三の周波数域Ａ３の光は遮断する構成とされている。
【０１２８】
例えば、この第一の周波数域Ａ１の光としては、ガレージ１１０内を明るくしたり太陽電池パネル１７２を発電させたりする可視光線等とされ、第二の周波数域Ａ２の光としては、ガレージ１１０の内側の温度を上昇させ得る遠赤外線等とされ、第三の周波数域Ａ３の光としては、日焼け等の原因とされる紫外線等とされる。
【０１２９】
この第一参考例に係るガレージ１１０によれば、このガレージ１１０内に車両１７０が駐車されている間も、車両１７０の天井部に備えられた太陽電池パネル１７２に太陽光Ｓｒを照射することができるので、太陽電池パネル１７２にて電力を発生させることができる。これにより、バッテリを充電させることができるので、車両１７０の航続距離を伸ばすことができる。
【０１３０】
また、この第一参考例に係るガレージ１１０によれば、フィルタ１１８によってガレージ１１０内を明るくしたり太陽電池パネル１７２を発電させたりする可視光線等を透過させ、ガレージ１１０の内側の温度を上昇させ得る遠赤外線等や日焼け等の原因とされる紫外線等は遮断するので、太陽電池パネル１７２を発電させつつ、ガレージ１１０内の快適性を確保することができる。
【０１３１】
なお、この第一参考例に係るガレージ１１０において、フィルタ１１８は、次のように変形されても良い。
【０１３２】
ここで、図１２には、フィルタ１１８の特性の変形例が示されている。この図に示されるように、フィルタ１１８は、第一の周波数域Ａ１のうち、ガレージ１１０内を明るくしたり太陽電池パネル１７２を発電させたりするのに特に必要な周波数域の光のみを透過させ、それ以外の周波数の光を遮断する構成（シャープカット）とされていても良い。
【０１３３】
このように構成されていると、ガレージ１１０内の快適性をより一層確保することができる。
【０１３４】
［第二参考例］
図１３には、本発明の第二参考例に係るガレージ１２０が示されている。この図に示されるガレージ１２０は、上述の本発明の第一参考例に係るガレージ１１０に対し、以下の如く構成が変更されている。
【０１３５】
すなわち、本発明の第二参考例に係るガレージ１２０において、各採光部１１４は、開口部１２２を有し、窓部１１６は、その一端部が回動軸１２４により天井部１１２に回動自在に連結されて開口部１２２を開閉する構成とされている。
【０１３６】
また、フィルタ１１８は、カーテン等の布状体により構成され、空気を透過させることができるようになっている。
【０１３７】
そして、この各採光部１１４では、窓部１１６が開放状態とされたときには、太陽光Ｓｒがフィルタ１１８を透過してガレージ１２０内に照射されると共に、開口部１２２を介してガレージ１２０内を換気できるようになっている。
【０１３８】
この第二参考例に係るガレージ１２０によれば、窓部１１６が開放状態とされたときには、太陽電池パネル１７２を発電させつつ、ガレージ１２０内を換気できるので、ガレージ１２０内の温度の上昇を抑制してガレージ１２０内の快適性をより一層確保することができる。
【０１３９】
なお、この第二参考例に係るガレージ１２０において、窓部１１６は、次のように変形されても良い。
【０１４０】
ここで、図１４には、窓部１１６の変形例が示されている。この図に示されるように、窓部１１６は、その中央部が回動軸１２４により天井部１１２に回動自在に連結されて開口部１２２を開閉する構成とされている。
【０１４１】
このように構成されていても、窓部１１６が開放状態とされたときには、太陽電池パネル１７２を発電させつつ、ガレージ１２０内を換気できるので、ガレージ１２０内の温度の上昇を抑制してガレージ１２０内の快適性をより一層確保することができる。
【０１４２】
［第三参考例］
図１５には、本発明の第三参考例に係るガレージ１３０が示されている。この図に示されるガレージ１３０は、上述の本発明の第一参考例に係るガレージ１１０に対し、以下の如く構成が変更されている。
【０１４３】
すなわち、本発明の第三参考例に係るガレージ１３０には、採光部１１４に加えて屈折レンズ１３２が設けられている。
【０１４４】
屈折レンズ１３２は、窓部１１６及びフィルタ１１８を通過した光を太陽電池パネル１７２に向けて屈折させる構成とされている。なお、屈折レンズ１３２は、窓部１１６の内部に一体に組み込まれても良く、また、窓部１１６とフィルタ１１８の間に配置されても良い。
【０１４５】
なお、この第三参考例において、車両１７０の天井部に備えられた太陽電池パネル１７２は、上述の第一参考例における太陽電池パネル１７２よりも前後の長さが短くされると共に、曲率半径の小さい構成とされている。
【０１４６】
この第三参考例に係るガレージ１３０によれば、例えば、太陽電池パネル１７２が小さい構成とされた場合でも、太陽光Ｓｒを屈折レンズ１３２によって屈折させることで太陽電池パネル１７２に太陽光Ｓｒを集中して照射させることができる。これにより、太陽電池パネル１７２の発電効率を向上させることができる。
【０１４７】
また、例えば、太陽電池パネル１７２が曲率半径の小さい構成とされた場合でも、太陽光Ｓｒを屈折レンズ１３２によって屈折させることで太陽電池パネル１７２に太陽光Ｓｒを垂直に照射させることができる。これにより、太陽電池パネル１７２に太陽光Ｓｒが斜めに照射される場合に比して、太陽電池パネル１７２の発電効率を向上させることができる。
【０１４８】
［第四参考例］
図１６には、本発明の第四参考例に係るガレージ１４０が示されている。この図に示されるガレージ１４０は、上述の本発明の第一参考例に係るガレージ１１０に対し、フィルタ１１８の代わりにロールカーテン１４２を備えた構成とされている。このロールカーテン１４２は、カーテン部１４４と、一対のロール部１４６とを有して構成されている。
【０１４９】
カーテン部１４４は、反射膜、光の透過率の高い第一透過膜（例えば太陽光Ｓｒをほぼ透過させる膜）、光の透過率の低い第二透過膜（例えば、ガレージ１４０内を明るくしたり太陽電池パネル１７２を発電させたりするのに特に必要な周波数域の光のみを透過させ、それ以外の周波数の光を遮断する膜）が長手方向に順に形成された構成されている。
【０１５０】
一対のロール部１４６は、図示しないモータ等により回転されて、カーテン部１４４を長手方向に移動させる構成とされている。
【０１５１】
そして、この第四参考例に係るガレージ１４０では、太陽の位置や手動操作等に応じて一対のロール部１４６が回転され、カーテン部１４４のうち一対のロール部１４６間に位置される部位が、反射膜、第一透過膜、第二透過膜のいずれかに切り替えられるなっている。
【０１５２】
これにより、太陽光Ｓｒをカーテン部１４４で反射させてガレージ１４０内に入射させない状態と、太陽光Ｓｒをほぼそのままガレージ１４０内に入射させる状態と、ガレージ１４０内を明るくしたり太陽電池パネル１７２を発電させたりするのに特に必要な周波数域の光のみをガレージ１４０内に入射させる状態とに切り替えることができる。
【０１５３】
なお、この第四参考例に係るガレージ１４０において、ロールカーテン１４２は、次のように変形されても良い。
【０１５４】
ここで、図１７には、ロールカーテン１４２の変形例が示されている。この図に示されるように、ロールカーテン１４２は、二重の窓部１１６の内部に一体に組み込まれても良い。
【０１５５】
また、このロールカーテン１４２は、ガレージ１４０に上下に取付角度を変更可能に設けられていても良い。
【０１５６】
また、このロールカーテン１４２は、季節や天候に応じて一対のロール部１４６が回転され、カーテン部１４４のうち一対のロール部１４６間に位置される部位が、反射膜、第一透過膜、第二透過膜のいずれかに切り替えられるように構成されていても良い。
【０１５７】
つまり、例えば、ロールカーテン１４２は、夏には一対のロール部１４６間に反射膜又は第二透過膜が位置され、冬には一対のロール部１４６間に第一透過膜又は第二透過膜が位置されるように作動されても良い。
【０１５８】
また、例えば、ロールカーテン１４２は、晴れの日には一対のロール部１４６間に反射膜又は第二透過膜が位置され、曇りの日には一対のロール部１４６間に第一透過膜又は第二透過膜が位置されるように作動されても良い。
【０１５９】
また、ロールカーテン１４２は、天候又は季節に応じて透過する光の周波数域を変更するように構成されていても良い。すなわち、例えば、ロールカーテン１４２は、冬の曇りの日には青色の基となる光線を除去してガレージ１４０内を晴々とした雰囲気とさせ、夏の晴れの日には涼しげな色の基となる光線のみを透過させてガレージ１４０内を涼しげな雰囲気とさせるように構成されていても良い。
【０１６０】
［第五参考例］
図１８Ａ，図１８Ｂには、本発明の第五参考例に係るガレージ１５０が示されている。これらの図に示されるガレージ１５０は、上述の本発明の第二参考例に係るガレージ１２０に対し、以下の如く構成が変更されている。
【０１６１】
すなわち、採光部１１４は、反射板１５１を有して構成されており、この反射板１５１は、その一端部が回動軸１２４により天井部１１２に回動自在に連結されて開口部１２２を開閉する構成とされている。また、この反射板１５１は、角度調整機構１５２によってガレージ１５０の天井部１１２に対する上下の取付角度が変更可能とされている。
【０１６２】
ＥＣＵ１５３は、太陽の高度が変化した場合でも、太陽光Ｓｒが反射板１５１に反射されて太陽電池パネル１７２に照射されるように角度調整機構１５２を作動させて反射板１５１の上下の取付角度を変更させる構成とされている。
【０１６３】
なお、ＥＣＵ１５３は、例えば、ガレージ１５０の設置場所における年月日及び時刻と太陽の高度及び方位との関係や、ガレージ１５０内における太陽電池パネル１７２の相対位置を予め記憶している。
【０１６４】
また、この第五参考例において、車両１７０の天井部に備えられた太陽電池パネル１７２は、上述の第二参考例における太陽電池パネル１７２よりも曲率半径の小さい構成とされている。
【０１６５】
そして、ＥＣＵ１５３は、現在の年月日及び時刻に基づいてガレージ１５０の設置場所における年月日及び時刻と太陽の高度及び方位との関係から現在の太陽の高度及び方位を算出し、この算出結果とガレージ１５０内における太陽電池パネル１７２の相対位置との関係から反射板１５１の上下の取付角度を算出して反射板１５１の上下の取付角度を変更させる構成とされている。
【０１６６】
この第五参考例に係るガレージ１５０によれば、太陽の高度が変化した場合でも、これに追従して反射板１５１の上下の取付角度が変更されることで（すなわち、太陽光Ｓｒの方向を調整することで）、太陽光Ｓｒの入射方向に対して曲面で構成される太陽電池パネル１７２の曲面の面直方向に向けて太陽光Ｓｒを照射させることができる。これにより、太陽電池パネル１７２に太陽光Ｓｒが斜めに照射される場合に比して、太陽電池パネル１７２の発電効率を向上させることができる。
【０１６７】
なお、この第五参考例に係るガレージ１５０においては、次のように変形されても良い。
【０１６８】
ここで、図１９には、採光部１１４の変形例が示されている。この図に示される変形例において、採光部１１４は、光ファイバアレイ１５４と、支持部材１５５と、ローレットフィルタ１５６と、出射部１５７とを有して構成されている。
【０１６９】
光ファイバアレイ１５４の一端には、支持部材１５５が一体に設けられており、この支持部材１５５は、回動軸１２４によってガレージ１５０の天井部１１２に対して上下に取付角度を変更可能とされている。
【０１７０】
また、ローレットフィルタ１５６は、透過させる光の周波数域及び透過率を変更可能な構成とされており、出射部１５７は、例えば、ローレットフィルタ１５６にボールジョイント等を介して固定されて任意の方向に太陽光Ｓｒを出射できるようになっている。
【０１７１】
角度調整機構１５２は、太陽の高度が変化した場合でも、光ファイバアレイ１５４の一端に太陽光Ｓｒが垂直に入射されるように（換言すれば、光ファイバアレイ１５４の一端が太陽を向くように）、太陽の高度に応じて光ファイバアレイ１５４の一端の上下の取付角度を変更する構成とされている。
【０１７２】
この構成によっても、太陽の高度が変化した場合でも、これに追従して光ファイバアレイ１５４の一端の上下の取付角度が変更されることで、太陽光Ｓｒの入射方向に対して曲面で構成される太陽電池パネル１７２の曲面の面直方向に向けて太陽光Ｓｒを照射させることができる。これにより、太陽電池パネル１７２に太陽光Ｓｒが斜めに照射される場合に比して、太陽電池パネル１７２の発電効率を向上させることができる。
【０１７３】
また、ガレージ１５０に通信装置を設け、ガレージ１５０内に車両１７０が入庫される毎に、車両１７０がナビゲーション装置等の機能を利用してガレージ１５０の設置場所における現在の太陽の高度及び方位との関係に関する情報をガレージ１５０の通信装置に送信し、ＥＣＵ１５３は、通信装置で受信された情報に基づいてガレージ１５０の設置場所における現在の太陽の高度及び方位を算出するように構成とされていても良い。
【０１７４】
［第六参考例］
図２０Ａ，図２０Ｂには、本発明の第六参考例に係るガレージ１６０が示されている。これらの図に示されるガレージ１６０は、上述の本発明の第五参考例に係るガレージ１５０に対し、以下の如く構成が変更されている。
【０１７５】
すなわち、本発明の第六参考例に係るガレージ１６０には、床面１６２に車止め１６４が設置されており、この車止め１６４は、床面１６２に対してガレージ１６０の奥行き方向（矢印Ｄ方向）に移動自在とされている。
【０１７６】
また、床面１６２における車止め１６４の近傍位置には、荷重センサ１６６が配置されており、荷重センサ１６６は、車両１７０がガレージ１６０内に駐車された際に車両１７０から受ける荷重に応じた信号をＥＣＵ１５３に出力する構成とされている。
【０１７７】
さらに、この床面１６２には、車止め１６４の位置を検出するための位置検出センサ１６８が配置されており、この位置検出センサ１６８は、床面１６２に対する車止め１６４の位置に応じた信号をＥＣＵ１５３に出力する構成とされている。
【０１７８】
ＥＣＵ１５３は、荷重センサ１６６及び位置検出センサ１６８から出力された信号に応じて角度調整機構１５２の動作を制御する構成とされている。つまり、ＥＣＵ１５３は、荷重センサ１６６からの出力信号に基づいてガレージ１６０内に車両１７０が駐車されたと判断した場合には、位置検出センサ１６８からの出力信号に基づいて車止め１６４の位置を検出する。
【０１７９】
そして、ＥＣＵ１５３は、この車止め１６４の位置検出結果と、予め記憶した車両１７０における太陽電池パネル１７２の設置位置に関する情報からガレージ１６０内における太陽電池パネル１７２の位置を特定し、この太陽電池パネル１７２に太陽光Ｓｒが照射されるように角度調整機構１５２を制御して反射板１５１の上下の取付角度を変更する。
【０１８０】
この構成によれば、車止め１６４の位置が変更されたことに伴って車両１７０のガレージ１６０内における駐車位置が変更された場合でも、太陽光Ｓｒの入射方向に対して曲面で構成される太陽電池パネル１７２の曲面の面直方向に向けて太陽光Ｓｒを照射させることができる。これにより、太陽電池パネル１７２に太陽光Ｓｒが斜めに照射される場合に比して、太陽電池パネル１７２の発電効率を向上させることができる。
【０１８１】
なお、この第六参考例に係るガレージ１６０においては、次のように変形されても良い。
【０１８２】
すなわち、ガレージ１６０内に位置検出センサ１６８の代わりにカメラや超音波センサを設け、これらを用いてガレージ１６０内における車両１７０の位置が検出されるように構成されていても良い。
【０１８３】
また、ＥＣＵ１５３に複数の車両１７０についてその車両１７０における太陽電池パネル１７２の設置位置に関する情報が記憶され、ガレージ１６０内に入庫される車両１７０が変更された場合には、その都度、センサ等を用いて車両１７０が識別されて、この車両１７０に合わせて反射板１５１の上下の取付角度が変更されるように構成されていても良い。
【０１８４】
また、ガレージ１６０に通信装置を設け、ガレージ１６０内に車両１７０が入庫される毎に、車両１７０からその車両１７０における太陽電池パネル１７２の設置位置に関する情報が通信装置に送信され、この通信装置において受信された情報に基づいて、車両１７０に合わせて反射板１５１の上下の取付角度が変更されるように構成されていても良い。
【０１８５】
また、ガレージ１６０に太陽電池パネル１７２の位置を検出するパネル位置検出センサ１６８を設け、ガレージ１６０内に車両１７０が入庫される毎に、ガレージ１６０内における太陽電池パネル１７２の位置が特定されるように構成されていても良い。
【０１８６】
また、ガレージ１６０に入力操作パネルを設け、この入力操作パネルによってガレージ１６０内における太陽電池パネル１７２の位置を入力できるように構成されていても良い。
【０１８７】
また、ガレージ１６０に太陽電池パネル１７２の有無を検出するためのパネル有無検出センサを設け、パネル有無検出センサの検出結果に基づきＥＣＵ１５３において太陽電池パネル１７２が有ると判断された場合に反射板１５１の上下の取付角度が変更され、太陽電池パネル１７２が無いと判断された場合に反射板１５１の上下の取付角度を変更しないように構成されていても良い。
【０１８８】
また、この場合に、ガレージ１６０に通信装置を設け、ガレージ１６０内に車両１７０が入庫される毎に、車両１７０からその車両１７０における太陽電池パネル１７２の有無に関する情報が通信装置に送信され、この通信装置において受信された情報に基づいて、ＥＣＵ１５３において太陽電池パネル１７２の有無が判断されても良い。
【０１８９】
なお、上述の本発明の各参考例は、組み合わせ可能な範囲で適宜組み合わされて実施されても良いことは勿論である。
【図面の簡単な説明】
【０１９０】
【図１】本発明の第一実施形態に係る窓枠装置が建物の壁部に設置された状態を示す図である。
【図２】本発明の第一実施形態に係る窓枠装置の全体構成を示す斜視図である。
【図３】本発明の第一実施形態に係る窓枠装置の全体構成を示す側面図である。
【図４】本発明の第一実施形態におけるＥＣＵの動作の流れを示すフローチャートである。
【図５】本発明の第一実施形態に係る窓枠装置の変形例を示す図である。
【図６】本発明の第一実施形態に係る窓枠装置の変形例を示す図である。
【図７】本発明の第二実施形態に係る窓枠装置の全体構成を示す斜視図である。
【図８】本発明の第二実施形態に係る窓枠装置に備えられた太陽電池パネル及び光ファイバアレイの配置構成を示す説明図である。
【図９】本発明の第二実施形態に係る窓枠装置の変形例を示す図である。
【図１０】本発明の第一参考例に係るガレージを示す図である。
【図１１】本発明の第一参考例におけるフィルタの特性を示す図である。
【図１２】本発明の第一参考例におけるフィルタの特性の変形例を示す図である。
【図１３】本発明の第二参考例に係るガレージを示す図である。
【図１４】本発明の第二参考例における窓部の変形例を示す図である。
【図１５】本発明の第三参考例に係るガレージを示す図である。
【図１６】本発明の第四参考例に係るガレージを示す図である。
【図１７】本発明の第四参考例におけるロールカーテンの変形例を示す図である。
【図１８Ａ】本発明の第五参考例に係るガレージを示す図である。
【図１８Ｂ】本発明の第五参考例に係るガレージを示す図である。
【図１９】本発明の第五参考例における採光部の変形例を示す図である。
【図２０Ａ】本発明の第六参考例に係るガレージを示す図である。
【図２０Ｂ】本発明の第六参考例に係るガレージを示す図である。
【符号の説明】
【０１９１】
１０，７０  窓枠装置
１２  窓枠
１４  太陽電池パネル
１６  第一アクチュエータ
１８  第二アクチュエータ
２０  通風ユニット
２４  室温検出センサ
２６  ＥＣＵ
５２  ファンモータ
５４  シロッコファン
７６  光ファイバアレイ
８４  反射体
【図１】
2009167723.tif 000003
【図２】
2009167723.tif 000004
【図３】
2009167723.tif 000005
【図４】
2009167723.tif 000006
【図５】
2009167723.tif 000007
【図６】
2009167723.tif 000008
【図７】
2009167723.tif 000009
【図８】
2009167723.tif 000010
【図９】
2009167723.tif 000011
【図１０】
2009167723.tif 000012
【図１１】
2009167723.tif 000013
【図１２】
2009167723.tif 000014
【図１３】
2009167723.tif 000015
【図１４】
2009167723.tif 000016
【図１５】
2009167723.tif 000017
【図１６】
2009167723.tif 000018
【図１７】
2009167723.tif 000019
【図１８Ａ】
2009167723.tif 000020
【図１８Ｂ】
2009167723.tif 000021
【図１９】
2009167723.tif 000022
【図２０Ａ】
2009167723.tif 000023
【図２０Ｂ】
2009167723.tif 000024